(57)【要約】【課題】長尺医療器具に付着した血液等を拭取り、長尺医療器具をケースに収納する作業を補助する器具を提供する。【解決手段】本発明による器具(1)は、貫通した内腔(2)を含む本体(4)を有する。内腔(2)は、比較的細い内腔部分(2a)と、比較的広い内腔部分(2b)と、テーパした内腔部分(2c)を含む。器具(1)は、更に、比較的広い内腔部分(2b)に配置されたクリーニング部材(10)を有する。クリーニング部材(10)は、長尺医療器具(C)が比較的広い内腔部分(2b)を通過するときに長尺医療器具(C)に接触可能なクリーニング面(12a, 12b)を有する。本体(4)の導入部(4b)は、クリーニング部材(10)のクリーニング面(12a, 12b)を長尺医療器具(C)に押付けるように押しつぶし可能である。【選択図】図１
2018134146.tif 000002
【特許請求の範囲】
【請求項１】
長尺医療器具をケースに収納するのを補助する器具であって、
貫通した内腔を含む本体を有し、前記内腔は、ケースの挿入端部に連結される比較的細い内腔部分と、長尺医療器具が導入される比較的広い内腔部分と、前記比較的細い内腔部分と前記比較的広い内腔部分の間に配置され且つテーパした内腔部分を含み、前記本体は、前記比較的広い内腔部分の周りの導入部を有し、
更に、前記比較的広い内腔部分に配置されたクリーニング部材を有し、前記クリーニング部材は、長尺医療器具が前記比較的広い内腔部分を通過するときに長尺医療器具に接触可能なクリーニング面を有し、
前記導入部は、前記クリーニング部材のクリーニング面を長尺医療器具に押付けるように押しつぶし可能である、器具。
【請求項２】
前記クリーニング部材は、対向する前記クリーニング面を有する、請求項１に記載の器具。
【請求項３】
前記比較的細い内腔部分は、段付き部を有する、請求項１又は２に記載の器具。
【請求項４】
請求項１〜３のいずれか１項に記載の器具が一体に又は分離可能に連結されている長尺医療器具用ケース。
【発明の詳細な説明】
【技術分野】
【０００１】
本発明は、カテーテル、ガイドワイヤ等の長尺医療器具に係わり、更に詳細には、長尺医療器具をケースに収納する作業を補助する器具に関する。
【背景技術】
【０００２】
手術に使用されるカテーテル、ガイドワイヤ等の長尺医療器具は、様々な硬さ、太さ、長さを有する。例えば、１ｍ〜３ｍの長さの長尺医療器具がある。これらの長尺医療器具は、通常、所定のケースに収納され、ケースの中で巻かれた状態に維持されている（特許文献１〜３参照）。
【先行技術文献】
【特許文献】
【０００３】
【特許文献１】特開２０１６−１１２２０１号公報
【特許文献２】実開平６−０７５５０７号公報
【特許文献３】特表２００２−５２３１５９号公報
【発明の概要】
【発明が解決しようとする課題】
【０００４】
手術現場では、手術中に様々な機器が取扱われる。特に、血管内治療では、１回の手術の間、異なる硬さ、太さ、長さを有する複数本のカテーテルやガイドワイヤ等の長尺医療器具が用いられる。患者に挿入された長尺医療器具を患者から抜取った後、看護師や手術助手等は、長尺医療器具をケースに収納する作業を行う。これは、手術現場において、長尺のままの長尺医療器具は、他の機器の受渡しを妨げることがあるからである。また、患者から抜取った長尺医療器具を患者に再度導入することがあり、長尺のままの長尺医療器具は、非清潔部分に触れることによる細菌汚染リスクが高まるからである。
【０００５】
また、看護師や手術助手等は、長尺医療器具をケースに収納する前に、長尺医療器具の周りに付着した血液等を拭取る作業を行う。これは、付着した血液が血栓になることを防いだり、長尺医療器具のコーティングの機能を維持したりするためである。
【０００６】
上述したように、看護師や手術助手等は、様々な機器を術者に受渡す間に、長尺医療器具に付着した血液等を拭取り、長尺医療器具をケースに収納することが望まれている。しかしながら、ケースの挿入口は一般的に小さいので、これらの作業を短時間で行うことは難しい。また、長尺器具に付着した血液等を確実に拭取ることが好ましい。
【０００７】
そこで、本発明は、長尺医療器具に付着した血液等を拭取り、長尺医療器具をケースに収納する作業を補助することができる器具及び長尺医療器具用ケースを提供することを目的とする。
【課題を解決するための手段】
【０００８】
上記目的を達成するために、長尺医療器具をケースに収納するのを補助する本発明による器具は、貫通した内腔を含む本体を有し、内腔は、ケースの挿入端部に連結される比較的細い内腔部分と、長尺医療器具が導入される比較的広い内腔部分と、比較的細い内腔部分と比較的広い内腔部分の間に配置され且つテーパした内腔部分を含み、本体は、比較的広い内腔部分の周りの導入部を有し、更に、比較的広い内腔部分に配置されたクリーニング部材を有し、クリーニング部材は、長尺医療器具が比較的広い内腔部分を通過するときに長尺医療器具に接触可能なクリーニング面を有し、導入部は、クリーニング部材のクリーニング面を長尺医療器具に押付けるように押しつぶし可能であることを特徴としている。
【０００９】
このように構成された器具をケースの挿入端部に連結させておき、患者から抜取った長尺医療器具の先端部を比較的広い内腔部分に導入して、押し進める。長尺医療器具が比較的広い内腔部分を通過するとき、長尺医療器具がクリーニング部材のクリーニング面に接しながら移動するので、長尺医療器具に付着した血液等が、クリーニング面によって拭取られる。特に、比較的広い内腔部分の周りの導入部を押しつぶして、クリーニング部材のクリーニング面を長尺医療器具に押付けておくと、長尺医療器具に付着した血液等を拭取る機能を向上させることができる。長尺医療器具を更に押し進めると、長尺医療器具の先端部がテーパした内腔部分によって、比較的細い内腔部分に向かって案内される。長尺医療器具を更に押し進めると、比較的細い内腔部分に進入した長尺医療器具の先端部が、自動的にケースの挿入端部からケース内に進入する。このように、長尺医療器具を押し進めることだけによって、長尺医療器具に付着した血液等を拭取り、長尺医療器具をケースに収納する作業を比較的短時間で行うことができる。また、したがって、本発明による器具は、長尺医療器具に付着した血液等を拭取り、長尺医療器具をケースに収納する作業を補助することができる。
【００１０】
本発明の実施形態において、好ましくは、クリーニング部材は、対向するクリーニング面を有する。
【００１１】
このように構成された器具によれば、長尺医療器具に付着した血液等を拭取る機能を更に向上させることができる。
【００１２】
本発明の実施形態において、好ましくは、比較的細い内腔部分は、段付き部を有する。
【００１３】
このように構成された器具は、複数のケースの挿入端部の外径が異なっていても、複数のケースに対して共通に使用することができる。
【００１４】
上記目的を達成するために、本発明による長尺医療器具用ケースには、上記器具が一体に又は分離可能に連結されている。
【００１５】
このように構成された長尺医療器具用ケースは、上述した器具と同様の効果を奏することができる。
【図面の簡単な説明】
【００１６】
【図１】ケースに連結された本発明による器具の縦断面図である。
【図２】クリーニング部材を有する器具の端面図である。
【図３】第１の変形例のクリーニング部材を有する器具の端面図である。
【図４】第２の変形例のクリーニング部材を有する器具の端面図である。
【発明を実施するための形態】
【００１７】
図面を参照して、長尺医療器具をケースに収納するのを補助する本発明による器具の実施形態を説明する。
【００１８】
図１に示すように、器具１は、貫通した内腔２を含む本体４を有している。内腔２は、長尺医療器具用のチューブ型ケース２０（例えば、特許文献１及び３参照）の挿入端部２０ａに連結される比較的細い内腔部分２ａと、長尺医療器具Ｃが導入される比較的広い内腔部分２ｂと、比較的細い内腔部分２ａと比較的広い内腔部分２ｂの間に配置され且つテーパした内腔部分２ｃを含んでいる。本実施形態では、比較的広い内腔部分２ｂ及びテーパした内腔部分２ｃの断面輪郭は、四角形であるが、その他任意の形状であってもよい。
【００１９】
本体４は、比較的細い内腔部分２ａの周りの連結部４ａと、比較的広い内腔部分２ｂの周りの導入部４ｂと、テーパした内腔部分２ｃの周りの中間部４ｃを含んでいる。本実施形態では、内腔部分２ａ〜２ｃに合わせて、連結部４ａは比較的細く形成され、導入部４ｂは比較的広く形成され且つ四角形の外輪郭を有し、中間部４ｃはテーパするように構成されている。しかしながら、本体４の外輪郭は、これに限らず任意であってよい。
【００２０】
本体４は、プラスチック等の材料で作られるのが好ましい。導入部４ｂは、好ましくは、押しつぶし可能に構成されるのがよい。このために、導入部４ｂは、適当な軟らかい材料で構成されてもよいし、押しつぶしを可能にする肉薄部を有していてもよい。
【００２１】
比較的細い内腔部分２ａは、複数の段付き部６ａ〜６ｃを有することが好ましい。本実施形態では、比較的細い内腔部分２ａは、円形断面であり、第１の直径を有する第１の部分８ａと、第１の直径よりも大きい第２の直径を有する第２の部分８ｂと、第２の直径よりも大きい第３の直径を有する第３の部分８ｃと、第３の直径よりも大きい第４の直径を有する第４の部分８ｄを含んでいる。また、第１の部分８ａと第２の部分８ｂの間に第１の段付き部６ａが設けられ、第２の部分８ｂと第３の部分８ｃの間に第２の段付き部６ｂが設けられ、第３の部分８ｃと第４の部分８ｄの間に第２の段付き部６ｃが設けられている。例えば、第３の直径及び第２の直径はそれぞれ、チューブ型ケース２０の端部２０ａの外径及び内径に一致することが好ましい。また、第４の直径及び第３の直径はそれぞれ、別のチューブ型ケースの端部の外径及び内径に一致することが好ましい。また、第２の直径及び第１の直径はそれぞれ、更に別のチューブ型ケースの端部の外径及び内径に一致することが好ましい。
【００２２】
図１及び図２に示すように、器具１は、比較的広い内腔部分４ｂに配置されたクリーニング部材１０を更に有している。クリーニング部材１０は、好ましくは、押しつぶし可能な材料で構成され、且つ、湿らせることが可能である。本実施形態では、クリーニング部材１０は、２つのスポンジ部材１０ａ、１０ｂからなる。スポンジ部材１０ａ、１０ｂはそれぞれ、長尺医療器具Ｃが比較的広い内腔部分２ｂを通過するときに接触するクリーニング面１２ａ、１２ｂを有し、クリーニング面１２ａ、１２ｂは、互いに対向するように配置されている。クリーニング面１２ａ、１２ｂは接していてもよいし、少し離れていてもよい。スポンジ部材１０ａ、１０ｂのスポンジは、長尺医療器具Ｃを通過させるときに長尺医療器具Ｃがスポンジ部材１０ａ、１０ｂの中に進入していかない程度の硬さ、発泡度等を有するのがよい。上側のスポンジ部材１０ｂの端部は、傾斜面１４を有している。
【００２３】
次に、本発明による器具の使用方法を説明する。
【００２４】
器具１をケース２０の端部２０ａに連結させる。例えば、ケース２０の挿入端部２０ａを比較的細い内腔部分２ａの第３の部分８ｃに嵌合させ、第２の段付き部分６ｂに当接させる。また、クリーニング部材１０を湿らせておく。
【００２５】
患者から抜き取った長尺医療器具Ｃの先端部Ｃ１を、比較的広い内腔部分２ｂに導入して、押し進める。具体的には、長尺医療器具Ｃの先端部Ｃ１を、上側のスポンジ部材１０ｂの傾斜面１４の下方に位置する下側のスポンジ部材１０ａの端部の上に載せ、２つのスポンジ部材１０ａ、１０ｂの間をクリーニング面１２ａ、１２ｂに沿って移動するように押し進める。このとき、本体４の導入部４ｂを押しつぶして、クリーニング面１２ａ、１２ｂを長尺医療器具Ｃに押し付けることが好ましい。長尺医療器具Ｃが比較的広い内腔部分２ｂを通過するとき、長尺医療器具Ｃがクリーニング面１２ａ、１２ｂに接しながら移動するので、長尺医療器具Ｃに付着した血液等が、クリーニング面１２ａ、１２ｂによって拭取られる。本体４の導入部４ｂを押しつぶしていれば、スポンジ部材１０ａ、１０ｂのクリーニング面１２ａ、１２ｂが長尺医療器具Ｃに密着して、拭取る機能が向上する。
【００２６】
長尺医療器具Ｃを更に押し進めると、長尺医療器具Ｃの先端部Ｃ１がテーパした内腔部分２ｃに当接し、比較的細い内腔部分２ａに向かって案内される。長尺医療器具Ｃを更に押し進めると、比較的細い内腔部分２ａに進入した長尺医療器具Ｃの先端部Ｃ１は、自動的にケース２０の挿入端２０ａからケース２０内に進入する。
【００２７】
このように、導入部４ｂを押しつぶしながら長尺医療器具Ｃを単に押し進めることによって、長尺医療器具Ｃに付着した血液等を拭取り、長尺医療器具Ｃをケース２０に収納する作業をおこなうことができるので、これらの作業を比較的短時間で確実に行うことができる。したがって、本発明による器具１は、長尺医療器具Ｃに付着した血液等を拭取り、長尺医療器具Ｃをケース２０に収納する作業を補助する機能を有する。
【００２８】
次に、クリーニング部材の第１の変形例を説明する。
【００２９】
図３に示すように、クリーニング部材１０は、折り曲げられた１つのスポンジ部材１０ｃからなる。スポンジ部材１０ｃは、長尺医療器具Ｃが比較的広い内腔部分２ｂを通過するときに接触するクリーニング面１２ｃを有し、クリーニング面１２ｃは、スポンジ部材１０ｃを折り曲げたときに互いに対向する面である。
【００３０】
次に、クリーニング部材の第２の変形例を説明する。
【００３１】
クリーニング部材１０は、２つのブラシ部材１６からなる。ブラシ部材１６は、ベース面１６ａと、それから延びる多数の細長いブラシ要素１６ｂを有する。２つのブラシ部材１６は、ベース面１６ａが互いに対向するように配置され、２つのブラシ部材のブラシ要素１６ａは、互いに隣り合っている。ブラシ要素１６ａは、長尺医療器具Ｃが比較的広い内腔部分２ｂを通過するときに接触するように密に配置され、ブラシ要素１６ａの表面が、クリーニング面１２ｄを構成する。ブラシ要素１６ｂは、プラスチック等の材料で作られるのがよく、例えば、シリコーン、ナイロン、ポリプロピレン、ポリエステル、ポリブチレン、塩化ビニルで作られる。本実施形態では、図４における横方向に導入部４ｂを押しつぶすのがよい。
【００３２】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
【００３３】
上記実施形態において、クリーニング部材１０は、スポンジ１０ａ、１０ｂ、１０ｃ又はブラシ１０ｄであったが、長尺医療器具の血液等を拭取ることができれば、脱脂綿、ガーゼ、フェルト等であってもよい。
【００３４】
上記実施形態では、器具１は、チューブ型ケース２０に連結されていたが、その他のケース（例えば、特許文献２参照）に連結されてもよい。例えば、本体４の連結部４ａは、ケースの挿入口に挿入されるように連結されてもよい。
【符号の説明】
【００３５】
１  収納補助器具
２  内腔
２ａ  比較的細い内腔部分
２ｂ  比較的広い内腔部分
２ｃ  テーパした内腔部分
４  本体
４ｂ  導入部
６ａ、６ｂ、６ｃ  段付き部
１０  クリーニング部材
１２ａ、１２ｂ、１２ｃ、１２ｄ  クリーニング面
２０  ケース
Ｃ  長尺医療器具
【図１】
2018134146.tif 000003
【図２】
2018134146.tif 000004
【図３】
2018134146.tif 000005
【図４】
2018134146.tif 000006